(57)【要約】【課題】  分電盤、配電盤内に組み込まれる銅バー、特にアースバーとして使用される銅バーを固定するのに適した銅バー固定構造を提供する。【解決手段】  取付基台１の基端に銅バー主固定部２を設け、また、先端に設けた銅バー副固定部３を銅バー下面支持用の支持枠部３１と該支持枠部３１の両側上方に銅バー４の上面両側係止用の係止爪３２ａ付きの規制板部３２、３２を設けてなるものとしたことを特徴とする。そして、規制板部３２、３２の幅のうち銅バー４より上方に突出した部分を幅狭とすることが好ましい。【選択図】  図１
2005143222.tif 000002
【特許請求の範囲】
【請求項１】
取付基台の基端に銅バー主固定部を設け、また、先端に設けた銅バー副固定部を銅バー下面支持用の支持枠部と該支持枠部の両側上方に銅バーの上面両側係止用の係止爪付きの規制板部を設けてなるものとしたことを特徴とする銅バー固定構造。
【請求項２】
規制板部の幅のうち銅バーより上方に突出した部分を幅狭とした請求項１に記載の銅バー固定構造。
【発明の詳細な説明】
【技術分野】
【０００１】
本発明は、分電盤、配電盤内に組み込まれる銅バー、特にアースバーとして使用される銅バーを固定するのに適した銅バー固定構造に関するものである。
【背景技術】
【０００２】
従来アースバーとして使用される銅バーを固定するものとしては、図７（Ａ）、（Ｂ）に示すように、基台１０１の中央に支持脚部１０２を立設したバーホルダー１００の２基により銅バー１０３の両端部を各支持脚部１０２の上面に支持させたうえねじ止めするものであった（例えば、非特許文献１参照）。また、特許文献１に記載のものもある。
【０００３】
しかし、前記した従来のものは、２基のバーホルダー１００に銅バー１０３の両端をねじ止めするため、バーホルダー１００、１００を銅バー１０３の長さにあわせて分電盤、配電盤内の機器取付レール若しくは機器取付板に取り付けなければならず、固定箇所が多く作業性が悪かった。また、銅バー１０３に１列に設けたアース電線接続用のねじ孔１０３ａの内両端のねじ孔１０３ａをバーホルダー１００への取り付け用に使用するため、少なくとも２個のねじ孔がアース用電線との接続ができないものであった。
【非特許文献１】日東工業株式会社総合カタログ２００１（日東工業株式会社  平成１３年２月１６日発行）第５６２頁所載（ＢＰ４６アースバーセット）
【特許文献１】特開平４−２３６１０９公開特許公報（図４、図５）
【発明の開示】
【発明が解決しようとする課題】
【０００４】
本発明は前記のような従来の問題点を解決して、分電盤、配電盤内の機器取付レール若しくは機器取付板への取り付けが容易なうえ、銅バーをバーホルダーへ取り付けるために使用するアース電線接続用のねじ孔を最小の１個とすることができる銅バー固定構造を提供することである。
【課題を解決するための手段】
【０００５】
本発明の銅バー固定構造は、取付基台の基端に銅バー主固定部を設け、また、先端に設けた銅バー副固定部を銅バー下面支持用の支持枠部と該支持枠部の両側上方に銅バー上面両側係止用の係止爪付きの規制板部を設けてなるものとしたことを特徴とする。また、この発明において規制板部の幅のうち銅バーより上方に突出した部分を幅狭とすることが好ましい。
【発明の効果】
【０００６】
本発明の銅バー固定構造は、取付基台をもって分電盤、配電盤内の機器取付レール若しくは機器取付板に取り付け、該取付基台の基端に設けた銅バー主固定部に銅バーの基端を該銅バーに1列に設けたアース電線接続用のねじ孔のうち端部に位置するねじ孔を利用して固定し、また、該取付基台の先端に設けた銅バー下面支持用の支持枠部と該支持枠部の両側上方に銅バー上面両側係止用の係止爪付きの規制板部を設けてなる銅バー副固定部に銅バーの先端側を支持させれば、この銅バーの先端側は規制板部により幅方向の動きを規制されるとともに上方への動きも係止爪に規制されるので、銅バーは前記基端が主固定部に固定されていることによる長手方向への動きが規制されていることと相俟って動くことなく的確に固定されるものである。
【０００７】
さらに、銅バーの固定は該銅バーに１列に設けたアース電線接続用のねじ孔のうち端部に位置するねじ孔のみを利用しているから、１個のねじ孔のみがアース電線を接続するに使用できないものとなるに過ぎないものである。
また、規制板部の幅のうち銅バーより上方に突出した部分を幅狭としておけば、ねじ孔が銅バー副固定部に近傍に位置することになってもアース電線に取り付けた圧着端子のねじ孔へのねじによる接続の障害にはならないものである。
【発明を実施するための最良の形態】
【０００８】
次に、本発明の好ましい実施の形態を図面に基づき説明する。
１はポリカーボネート樹脂等の絶縁性合成樹脂よりなる取付基台であり、該取付基台１の基端に銅バー主固定部２が設けられている。この銅バー主固定部２は図３に示すのものは取付基台１の底板部１１の基端中央に立設した上端面２１に雌ねじ部２２を設けた脚台部２０と底板部１１の基端両側に立設した規制板部２３、２３とよりなるものであるが規制板部２３、２３を除いたものであってもよく、また、図４に示すよう脚台部２０の上面に後記する銅バー４のねじ孔４１に嵌合する突起２４を設け、規制板部２３、２３に銅バー上面両側係止用の係止爪２３ａ、２３ａを設けたものとしてもよい。
【０００９】
また、取付基台１の先端には銅バー副固定部３が設けられている。この銅バー副固定部３は銅バー下面支持用の支持枠部３１と該支持枠部３１の両側上方に銅バー上面両側係止用の係止爪３２ａ付きの規制板部３２、３２を設けてなるものであり、支持枠部３１は長手方向に中央に端子固定用ねじの軸部が介入できる間隙を形成したものとしており、該支持枠部３１は図示のものは底板部１１の先端両側に立設した規制板部３２、３２の内面からＬ字状に連設した支持板部３１ａ、３１ａよりなるものとしているが、底板部１１に立設したものであってもよい。
【００１０】
また、前記銅バー副固定部３の規制板部３２、３２はその幅を銅バー４より上方に突出する部分を幅狭として形成している。さらに、銅バー副固定部３は銅バー４に等間隔に1列に配設したアース電線接続用の取付孔４１が臨まない位置に設けられている。すなわち、図１〜図４に示すものは銅バー４がアース電線接続用のねじにＭ５サイズのねじを使用するものでこれに対応するようにねじ孔４１の間隔を１２．５ｍｍとして配設し、基端から５個目と６個目のねじ孔４１間に銅バー副固定部３が位置するように設けられている。
【００１１】
５は取付基台１の底板部１１に設けた分電盤、配電盤内の機器取付レール若しくは機器取付板に取り付けるためのねじ挿通用の取付孔である。６は底板部１１の裏面に突設した位置決め兼ねる回り止め用突起であり、該突起６を機器取付レール若しくは機器取付板に設けた係止孔に嵌合して前記取付孔４を中心に取付基台１が回るのを防止するものである。
【００１２】
このように構成されたものは、取付基台１を分電盤、配電盤内の機器取付レール若しくは機器取付板に底板部１１の裏面に突設した該機器取付レール若しくは機器取付板に設けた係止孔に嵌合したうえ該底板部１１に設けた取付孔５から取付ねじを挿通したうえ該取付ねじを該機器取付レール若しくは機器取付板に設けた雌ねじ部に螺合して取り付ける。
【００１３】
そして、取付基台１の基端に設けた銅バー主固定部２に銅バー４の基端を該銅バー４に１列に設けたアース電線接続用のねじ孔４１のうち端部に位置するねじ孔４１を利用して固定する。なお、この銅バー４の固定は、図３に示すものは、取付基台１の底板部１１の基端中央に立設した脚台部２０の上端面２１に銅バー４の基端下面を支持して止めねじ７を銅バー４の基端に位置するねじ孔４１から挿通したうえ雌ねじ部２２に螺合して行うものであり、図４に示すものにあっては脚台部２０の上面に設けた突起２４に銅バー４のねじ孔４１を嵌合したうえ規制板部２３、２３に設けた係止爪２３ａ、２３ａを銅バー上面両側に係止して行うものである。
【００１４】
また、取付基台１の先端に設けた銅バー下面支持用の支持枠部３１と該支持枠部３１の両側上方に銅バー上面両側係止用の係止爪３２ａ付きの規制板部３２、３２を設けてなる銅バー副固定部３に銅バー４の先端側を支持させれば、この銅バー４の先端側は規制板部３２、３２により幅方向の動きを規制されるとともに上方への動きも係止爪３２ａ、３２に規制されるので、銅バー４は前記したとおり基端が銅バー主固定部２に固定されていることによる長手方向への動きが規制されていることと相俟って動くことなく的確に固定されるものである。
【００１５】
このように、銅バー４の固定は該銅バー４に1列に設けたアース電線接続用のねじ孔４１のうち端部に位置するねじ孔４１のみを利用しているから、１個のねじ孔のみがアース電線を接続するに使用できないものとなるに過ぎないものであり、一定規格の長さの銅バーに多くのアース電線を接続できるものである。
【００１６】
また、銅バー副固定部３の規制板部３２、３２の幅のうち銅バー４より上方に突出した部分を幅狭としておけば、ねじ孔４１が銅バー副固定部３の近傍に位置することになってもアース電線に取り付けた圧着端子をねじ孔へねじにより接続する際に障害にはならないものである。また、銅バー副固定部３の支持枠部３１に長手方向に中央に端子固定用ねじの軸部が介入できる間隙を形成したものとしておくことにより、銅バー副固定部３の近傍にねじ孔４１が位置しても端子固定用ねじによりアース電線を接続できるものである。
【００１７】
なお、ねじ孔４１とその間隔を異なる複数種類の銅バーであっても、ねじ孔の位置に銅バー副固定部３が来て規制板部２３によりアース電線の先端に設けた圧着端子の接続作業の邪魔とならないように、銅バー副固定部３の位置を銅バー主固定部２から、複数種類のねじ孔間隔の最小公倍数の距離からねじ孔間隔２つ分以内を引いた距離の整数倍とすることが好ましい。
【００１８】
例えば、銅バー４はアース電線接続用のねじにＭ５サイズのねじを使用するものはねじ孔４１の間隔を１２、５ｍｍとし、Ｍ６サイズのねじを使用するものはねじ孔４１の間隔を１５ｍｍとしていれば、Ｍ５サイズのものは銅バー４の基端に位置するねじ孔４１から数えて６個目のねじ孔の位置と、Ｍ６サイズの５個目の位置が７５ｍｍと同一となる。そこで、この７５ｍｍの位置及びこれの整数倍の位置例えば１５０ｍｍ、２２５ｍｍの位置するねじ孔（図５、６において（イ））若しくはそれから２つめのねじ孔（図５、６において（ロ））の横（手前（ニ）か向こう側（ホ））に銅バー副固定部３を位置するものとして、ねじ孔が位置する箇所に銅バー副固定部３の規制板部２３が無いのでアース電線の先端に設けた圧着端子の接続作業の障害とならないものでありＭ５及びＭ６サイズのねじを使用する２種類の銅バーに対応できるものである。
【図面の簡単な説明】
【００１９】
【図１】本発明の実施形態を上方側から示す斜視図である。
【図２】本発明の実施形態を下方側から示す斜視図である。
【図３】本発明の実施形態を銅バーを外した状態で上方側から示す斜視図である。
【図４】本発明の実施形態の他例を銅バーを外した状態で上方側から示す斜視図である。
【図５】Ｍ５及びＭ６サイズのねじを使用する２種類の銅バーと銅バー副固定部３との位置関係の一例を示す平面図である。
【図６】Ｍ５及びＭ６サイズのねじを使用する２種類の銅バーと銅バー副固定部３との位置関係の他例を示す平面図である。
【図７】従来例を示す図であり、（Ａ）は正面図、（Ｂ）は平面図である。
【符号の説明】
【００２０】
１  取付基台１
２  銅バー主固定部
３  銅バー副固定部
31  支持枠部
32  規制板部
32a  係止爪
【図１】
2005143222.tif 000003
【図２】
2005143222.tif 000004
【図３】
2005143222.tif 000005
【図４】
2005143222.tif 000006
【図５】
2005143222.tif 000007
【図６】
2005143222.tif 000008
【図７】
2005143222.tif 000009